(57)【要約】【課題】トイレトレーニングで達成すべき項目と、乳幼児の達成度合いとを客観的に把握できるよう、トイレトレーニング用プログラム、トイレトレーニング方法、及びトイレトレーニング用コンピュータを提供する。【解決手段】コンピュータに、操作者の第１操作に基づいて、所定の入力を受け付ける受付処理と、前記所定の入力が受け付けられると、トイレトレーニングで達成すべき複数の達成項目を含む第１画面を、画面に表示させる第１表示処理と、を実行させ、前記第１表示処理は、前記複数の達成項目のうち、前記所定の入力が受け付けられた際に達成済みの前記達成項目は、達成済みであることが視認可能な状態で表示させ、前記所定の入力が受け付けられた際に未達成の前記達成項目は、未達成であることが視認可能な状態で表示させること、を特徴とするトイレトレーニング用プログラムである。【選択図】図８
2019191503.tif 000002
【特許請求の範囲】
【請求項１】
コンピュータに、
操作者の第１操作に基づいて、所定の入力を受け付ける受付処理と、
前記所定の入力が受け付けられると、トイレトレーニングで達成すべき複数の達成項目を含む第１画面を、画面に表示させる第１表示処理と、
を実行させ、
前記第１表示処理は、
前記複数の達成項目のうち、前記所定の入力が受け付けられた際に達成済みの前記達成項目は、達成済みであることが視認可能な状態で表示させ、前記所定の入力が受け付けられた際に未達成の前記達成項目は、未達成であることが視認可能な状態で表示させること、
を特徴とするトイレトレーニング用プログラム。
【請求項２】
請求項１に記載のトイレトレーニング用プログラムであって、
前記トイレトレーニングに関する難易度の異なる複数の行動項目と、前記複数の行動項目毎に設けられた前記行動項目の実行結果を示す複数の選択肢と、前記複数の選択肢の選択結果を登録するための第１アイコンと、を含む第２画面を、前記操作者の第２操作に基づいて、前記画面に表示させる第２表示処理を前記コンピュータに実行させ、
前記第１操作は、前記複数の選択肢から前記複数の達成項目の何れかと同じ内容の第１選択肢が選択された後、前記第１アイコンがタップされる操作を含み、
前記受付処理は、前記第１選択肢が選択された後に前記第１アイコンがタップされた場合、前記第１選択肢が選択されたことを示す第１情報を前記所定の入力として受け付ける処理を含み、
前記第１表示処理は、前記第１選択肢と同じ内容の前記達成項目を達成済みであることが視認可能な状態で表示させること、
を特徴とするトイレトレーニング用プログラム。
【請求項３】
請求項２に記載のトイレトレーニング用プログラムであって、
前記第１操作は、前記複数の行動項目毎に選択された選択肢が前記複数の達成項目の何れにも該当しない非該当状態で前記第１アイコンがタップされる操作を含み、前記非該当状態で前記第１アイコンがタップされた場合には、前記第１表示処理を前記コンピュータに実行させないこと、
を特徴とするトイレトレーニング用プログラム。
【請求項４】
請求項２または請求項３に記載のトイレトレーニング用プログラムであって、
前記第１表示処理は、前記第２画面に対し、前記第２画面より小さい前記第１画面を重ねて表示させる処理であること、
を特徴とするトレイトレーニング用プログラム。
【請求項５】
請求項２から４の何れか１項に記載のトイレトレーニング用プログラムであって、
前記第１操作は、前記第１アイコンとは異なる、前記第１画面を表示させるための前記第２画面に設けられた第２アイコンがタップされる操作を含み、
前記受付処理は、前記第２アイコンがタップされた場合、前記第２アイコンがタップされたことを示す第２情報を前記所定の入力として受け付ける処理であること、
を特徴とするトイレトレーニング用プログラム。
【請求項６】
請求項２から５に記載のトイレトレーニング用プログラムであって、
前記第１画面は、前記複数の達成項目のうち前記複数の選択肢の何れにも該当しない第１達成項目に対し、前記第１達成項目を達成済みであることが視認可能な状態にするための第３アイコンを含み、
前記第１表示処理は、前記第３アイコンがタップされると、前記第３アイコンに対応する前記第１達成項目を達成済みであることが視認可能な状態で表示させる処理を含むこと、
を特徴とするトイレトレーニング用プログラム。
【請求項７】
請求項１から６のいずれか１項に記載のトイレトレーニング用プログラムであって、
前記第１表示処理は、前記複数の達成項目毎に、前記達成項目が達成された際の前記トイレトレーニングの対象となる乳幼児の月齢情報と、前記達成項目が達成された際の日付情報と、を更に含む前記第１画面を表示させる処理であること、
を特徴とするトイレトレーニング用プログラム。
【請求項８】
請求項１から７のいずれか１項に記載のトイレトレーニング用プログラムであって、
前記複数の達成項目の全てが達成された場合、前記トイレトレーニングの対象となる乳幼児を褒めるメッセージを、前記画面に表示させる第３表示処理を前記コンピュータに実行させること、
を特徴とするトイレトレーニング用プログラム。
【請求項９】
操作者の第１操作に基づいて所定の入力を、コンピュータが受け付ける受付ステップと、
前記所定の入力が受け付けられると、トイレトレーニングで達成すべき複数の達成項目を含む第１画面を、前記コンピュータが画面に表示する表示ステップと、
を含み
前記表示ステップは、
前記複数の達成項目のうち、前記所定の入力が受け付けられた際に達成済みの前記達成項目は、達成済みであることが視認可能な状態で表示し、前記所定の入力が受け付けられた際に未達成の前記達成項目は、未達成であることが視認可能な状態で表示すること、を特徴とするトイレトレーニング方法。
【請求項１０】
トイレトレーニング用コンピュータであって、
操作者の第１操作に基づいて、所定の入力を受け付ける受付処理部と、
前記所定の入力が受け付けられると、トイレトレーニングで達成すべき複数の達成項目を含む第１画面を、画面に表示する表示処理部と、
を含み、
前記表示部は、
前記複数の達成項目のうち、前記所定の入力が受け付けられた際に達成済みの前記達成項目は、達成済みであることが視認可能な状態で表示し、前記所定の入力が受け付けられた際に未達成の前記達成項目は、未達成であることが視認可能な状態で表示すること、
を特徴とするトイレトレーニング用コンピュータ。
【発明の詳細な説明】
【技術分野】
【０００１】
本発明は、トイレトレーニング用プログラム、トイレトレーニング方法、及びトイレトレーニング用コンピュータに関する。
【背景技術】
【０００２】
乳幼児は、成長の過程において、おむつを着用した状態からトイレで排泄ができるようにトレーニングを行う（例えば、特許文献１参照）。
【先行技術文献】
【特許文献】
【０００３】
【特許文献１】特開２００５−３２３８６９号公報
【発明の概要】
【発明が解決しようとする課題】
【０００４】
ところで、一般にトイレトレーニングの方法や手順は必ずしも１つではない。このため、保護者が、トイレトレーニングで達成すべき項目と、乳幼児の達成度合いと、を客観的に把握することは困難であった。
【０００５】
本発明は、上記のような従来の問題に鑑みてなされたものであって、その目的は、トイレトレーニング用プログラム、トイレトレーニング方法、及びトイレトレーニング用コンピュータを提供することにある。
【課題を解決するための手段】
【０００６】
上記目的を達成するための主たる発明は、コンピュータに、操作者の第１操作に基づいて、所定の入力を受け付ける受付処理と、前記所定の入力が受け付けられると、トイレトレーニングで達成すべき複数の達成項目を含む第１画面を、画面に表示させる第１表示処理と、を実行させ、前記第１表示処理は、前記複数の達成項目のうち、前記所定の入力が受け付けられた際に達成済みの前記達成項目は、達成済みであることが視認可能な状態で表示させ、前記所定の入力が受け付けられた際に未達成の前記達成項目は、未達成であることが視認可能な状態で表示させること、を特徴とするトイレトレーニング用プログラムである。
【発明の効果】
【０００７】
本発明によれば、操作者は、トイレトレーニングで達成すべき項目と、乳幼児の達成度合いとを客観的に把握することができる。
【図面の簡単な説明】
【０００８】
【図１】端末１０を説明するための図である。
【図２】登録画面表示処理Ｓ１０の一例を示すフローチャートである。
【図３】トップ画面３０を説明するための図である。
【図４】日記画面３１を説明するための図である。
【図５】登録画面３２を説明するための図である。
【図６】達成項目画面３３を説明するための図である。
【図７】行動項目登録処理Ｓ１１の一例を示すフローチャートである。
【図８】達成項目画面３３を説明するための図である。
【図９】達成項目登録処理Ｓ１２の一例を示すフローチャートである。
【図１０】達成項目画面３３を説明するための図である。
【図１１】褒めメッセージ２００を説明するための図である。
【発明を実施するための形態】
【０００９】
本明細書及び添付図面の記載により、少なくとも以下の事項が明らかとなる。  
コンピュータに、操作者の第１操作に基づいて、所定の入力を受け付ける受付処理と、前記所定の入力が受け付けられると、トイレトレーニングで達成すべき複数の達成項目を含む第１画面を、画面に表示させる第１表示処理と、を実行させ、前記第１表示処理は、前記複数の達成項目のうち、前記所定の入力が受け付けられた際に達成済みの前記達成項目は、達成済みであることが視認可能な状態で表示させ、前記所定の入力が受け付けられた際に未達成の前記達成項目は、未達成であることが視認可能な状態で表示させること、を特徴とするトイレトレーニング用プログラムである。
【００１０】
このようなプログラムによれば、操作者は、トイレトレーニングで達成すべき項目と、乳幼児の達成度合いとを客観的に把握することができる。
【００１１】
かかるプログラムであって、前記トイレトレーニングに関する難易度の異なる複数の行動項目と、前記複数の行動項目毎に設けられた前記行動項目の実行結果を示す複数の選択肢と、前記複数の選択肢の選択結果を登録するための第１アイコンと、を含む第２画面を、前記操作者の第２操作に基づいて、前記画面に表示させる第２表示処理を前記コンピュータに実行させ、前記第１操作は、前記複数の選択肢から前記複数の達成項目の何れかと同じ内容の第１選択肢が選択された後、前記第１アイコンがタップされる操作を含み、前記受付処理は、前記第１選択肢が選択された後に前記第１アイコンがタップされた場合、前記第１選択肢が選択されたことを示す第１情報を前記所定の入力として受け付ける処理を含み、前記第１表示処理は、前記第１選択肢と同じ内容の前記達成項目を達成済みであることが視認可能な状態で表示させること、が望ましい。
【００１２】
このようなプログラムによれば、トイレトレーニングの達成項目の何れかと同じ行動項目が選択されると、達成項目が達成済みとして表示される。このため、操作者は、普段の行動項目を記録することによって、トイレトレーニングの進捗を客観的に把握できる。
【００１３】
かかるプログラムであって、前記第１操作は、前記複数の行動項目毎に選択された選択肢が前記複数の達成項目の何れにも該当しない非該当状態で前記第１アイコンがタップされる操作を含み、前記非該当状態で前記第１アイコンがタップされた場合には、前記第１表示処理を前記コンピュータに実行させないこと、が望ましい。
【００１４】
このようなプログラムによれば、トイレトレーニングの達成項目の何れに該当しない行動項目が登録される際には、達成項目に関する情報は表示されない。このため、操作者は、行動項目の記録をスムーズに行うことができる。
【００１５】
かかるプログラムであって、前記第１表示処理は、前記第２画面に対し、前記第２画面より小さい前記第１画面を重ねて表示させる処理であること、が望ましい。
【００１６】
このようなプログラムによれば、登録画面に対し、達成項目画面が重ねて表示されることから、操作者の利便性が向上する。
【００１７】
かかるプログラムであって、前記第１操作は、前記第１アイコンとは異なる、前記第１画面を表示させるための前記第２画面に設けられた第２アイコンがタップされる操作を含み、前記受付処理は、前記第２アイコンがタップされた場合、前記第２アイコンがタップされたことを示す第２情報を前記所定の入力として受け付ける処理であること、が望ましい。
【００１８】
このようなプログラムによれば、操作者は、所望のタイミングで、トイレトレーニングで達成すべき項目と、乳幼児の達成度合いとを把握できる。
【００１９】
かかるプログラムであって、前記第１画面は、前記複数の達成項目のうち前記複数の選択肢の何れにも該当しない第１達成項目に対し、前記第１達成項目を達成済みであることが視認可能な状態にするための第３アイコンを含み、前記第１表示処理は、前記第３アイコンがタップされると、前記第３アイコンに対応する前記第１達成項目を達成済みであることが視認可能な状態で表示させる処理を含むこと、が望ましい。
【００２０】
このようなプログラムによれば、操作者は、達成されたトイレトレーニングの達成項目を直ちに達成済みとすることが可能である。このため、操作者及び乳幼児は、トイレトレーニングの成功をより実感できる。
【００２１】
かかるプログラムであって、記第１表示処理は、前記複数の達成項目毎に、前記達成項目が達成された際の前記トイレトレーニングの対象となる乳幼児の月齢情報と、前記達成項目が達成された際の日付情報と、を更に含む前記第１画面を表示させる処理であること、が望ましい。
【００２２】
このようなプログラムによれば、操作者は、乳幼児のトイレトレーニングの進み具合をより客観的に把握することができる。
【００２３】
かかるプログラムであって、前記複数の達成項目の全てが達成された場合、前記トイレトレーニングの対象となる乳幼児を褒めるメッセージを、前記画面に表示させる第３表示処理を前記コンピュータに実行させること、が望ましい。
【００２４】
このようなプログラムによれば、操作者は、褒めるメッセージを読み、乳幼児にトイレトレーニングの成功を伝えることができるため、乳幼児は、成功をより実感できる。
【００２５】
操作者の第１操作に基づいて所定の入力を、コンピュータが受け付ける受付ステップと、前記所定の入力が受け付けられると、トイレトレーニングで達成すべき複数の達成項目を含む第１画面を、前記コンピュータが画面に表示する表示ステップと、を含み前記表示ステップは、前記複数の達成項目のうち、前記所定の入力が受け付けられた際に達成済みの前記達成項目は、達成済みであることが視認可能な状態で表示し、前記所定の入力が受け付けられた際に未達成の前記達成項目は、未達成であることが視認可能な状態で表示すること、を特徴とするトイレトレーニング方法である。
【００２６】
このような方法によれば、操作者は、トイレトレーニングで達成すべき項目と、乳幼児の達成度合いとを客観的に把握することができる。
【００２７】
トイレトレーニング用コンピュータであって、操作者の第１操作に基づいて、所定の入力を受け付ける受付処理部と、前記所定の入力が受け付けられると、トイレトレーニングで達成すべき複数の達成項目を含む第１画面を、画面に表示する表示部と、を含み、前記表示部は、前記複数の達成項目のうち、前記所定の入力が受け付けられた際に達成済みの前記達成項目は、達成済みであることが視認可能な状態で表示し、前記所定の入力が受け付けられた際に未達成の前記達成項目は、未達成であることが視認可能な状態で表示すること、を特徴とするトイレトレーニング用コンピュータである。
【００２８】
このようなコンピュータシステムによれば、操作者は、トイレトレーニングで達成すべき項目と、乳幼児の達成度合いとを客観的に把握することができる。
【００２９】
＝＝＝本実施形態＝＝＝
図１は、端末１０を示す図である。端末１０は、スマートフォンやタブレットであり、端末１０には、様々な機能が実現される。端末１０は、各種処理を実行することにより、端末１０の画面２３に、トイレトレーニングで達成すべき達成項目等を表示させる。
【００３０】
端末１０（コンピュータ）は、記憶部２０、制御部２１、入力部２２、画面２３、通信部２４及びカメラ２５を有している。
【００３１】
記憶部２０は、端末１０のプロセッサ（不図示）が実行するトイレトレーニング用プログラム（以下、「プログラム」という。）や各種情報を記憶する。ここで、記憶部２０は、例えばトイレトレーニングの対象となる幼児の名前、性別、生年月日、月齢に関する情報や、現在の日付情報を記憶する。
【００３２】
制御部２１は、端末１０に設けられたプロセッサ（不図示）が、プログラムを実行することにより、端末１０に実現される機能ブロックである。制御部２１は、端末１０を統括制御するとともに、各種処理を実行するブロックを複数含む。なお、制御部２１に実現される機能ブロックについての詳細は後述する。
【００３３】
入力部２２には、端末１０の操作者（以下、単に「操作者」という。）の操作結果が入力される。また、入力部２２は、端末１０のタッチパネルである画面２３のタップ操作により実現される。
【００３４】
画面２３は、制御部２１からの指令や操作者の操作結果に基づいて各種の情報を表示し、通信部２４は、各種情報を他の機器等とやり取りする。また、カメラ２５は、撮影によって画像データを取得する。
【００３５】
＜＜制御部２１に実現される機能ブロック＞＞
制御部２１は、登録画面表示処理部１００、達成項目画面表示処理部１０１、メッセージ表示処理部１０２、及び受付処理部１０３を含む。
【００３６】
登録画面表示処理部１００は、操作者に対し、トイレトレーニングに関する複数の行動項目の実行結果を登録するための登録画面３２（後述）を、画面２３に表示させる処理を行う。
【００３７】
達成項目表示処理部１０１（表示処理部）は、操作者に対し、トイレトレーニングで達成すべき複数の達成項目を含む達成項目画面３３（後述）を、画面２３に表示させる処理を行う。
【００３８】
メッセージ表示処理部１０２は、トイレトレーニングの達成項目の全てが達成された際に、乳幼児を褒めるメッセージ画像や、行動項目の実行結果の登録が完了したことを示すメッセージ画像を、画面２３に表示させる処理を行う。また、受付処理部１０３は、達成項目画面３３を表示させるための所定の入力を受け付ける。
【００３９】
＜＜登録画面表示処理及び各種画面＞＞
以下、図２〜図６を参照しつつ、登録画面３２を表示するための登録画面表示処理Ｓ１０と、画面２３に表示される各種画面と、の詳細について説明する。
【００４０】
まず、画面２３に表示された、トイレトレーニング用プログラムを示すアイコン（不図示）を操作者がタップすると、プログラムが起動される（Ｓ２０）。この結果、図３に示すトップ画面３０が画面２３に表示される（Ｓ２１）。
【００４１】
トップ画面３０は、トイレトレーニング用プログラムの各種処理を実行させるためのメイン画面であり、キャラクターの画像や各種処理を実行させるためのアイコン等を含む。具体的には、トップ画面３０は、「ムーニーカメラ」と表示されたアイコン４０、「にっき」と表示されたアイコン４１、「ぶんせき」と表示されたアイコン４２、「アラーム」と表示されたアイコン４３、「トイちゃれ」と表示されたアイコン４４を含む。
【００４２】
「ムーニーカメラ」のアイコン４０は、カメラ２５を起動させるためのアイコンであり、「にっき」のアイコン４１は、図４に示す日記画面３１を表示させるためのアイコンである。「ぶんせき」のアイコン４２は、トイレトレーニングに関する行動項目の集計結果等を表示させるためのアイコンである。また、「アラーム」のアイコン４３は、プログラムを起動させる時間を設定させるためのアイコンであり、「トイちゃれ」のアイコン４４は、トイレトレーニング用の所定のおむつの購入者に対する追加処理を実行させるためのアイコンである。
【００４３】
ここで、操作者が、「にっき」と表示されたアイコン４１をタップすると、制御部２１は、アイコン４１がタップされたことを示す情報を受け付ける（Ｓ２２）。そして、制御部２１は、日記画面３１を、画面２３に表示させる（Ｓ２３）。
【００４４】
日記画面３１は、乳幼児のトイレトレーニングに関する過去の記録を表示する画面であり、過去の記録を示す記録画像４５ａ，４５ｂと、各種処理を実行させるためのアイコン等を含む。ここで、日記画面３１は、各種アイコンとして、「そつぎょう」と表示されたアイコン５０、「ぶんせき」と表示されたアイコン５１、「アルバム」と表示されたアイコン５２、及び「にっき」と表示されたアイコン５３を含む。なお、日記画面３１の記録画像４５ａ，４５ｂは、後述するアイコン６０ａ〜６０ｇの選択結果を示す情報を含む画像である。このため、操作者は、記録画像４５ａ，４５ｂを参照することにより、過去の乳幼児の排泄状況を把握することができる。
【００４５】
「そつぎょう」のアイコン５０は、トイレトレーニングを卒業した際の所定の処理を実行させるためのアイコンであり、「ぶんせき」のアイコン５１は、上述したアイコン４２と同様に、トイレトレーニングに関する行動項目の集計結果等を表示させるためのアイコンである。また、「アルバム」のアイコン５２は、記憶部２０に記憶された所定の画像を表示させるためのアイコンであり、「にっき」のアイコン５３は、登録画面３２を表示させるためのアイコンである。
【００４６】
ここで、操作者が、「にっき」と表示されたアイコン５３をタップすると（第２操作）、制御部２１は、アイコン５３がタップされたことを示す情報を受け付ける（Ｓ２４）。そして、制御部２１は、図５に示す登録画面３２を、画面２３に表示させる（Ｓ２５：第２表示処理）。
【００４７】
登録画面３２（第２画面）は、トイレトレーニングに関する複数の行動項目の実行結果を登録するための画面であり、アイコン６０ａ〜６０ｇ、メモ欄６１、アイコン６２〜６４を含む。
【００４８】
アイコン６０ａ〜６０ｇ（複数の選択肢）は、難易度の異なる乳幼児のトイレトレーニングの行動項目毎の実行結果を選択させるためのアイコンである。ここで、７つの行動項目（複数の行動項目）は、「親からの声かけは？」、「子からのサインは？」、「トイレに行った？」、「トイレでした？」、「オムツにした？」、「おしっこ出た？」、「うんち出た？」）であり、７つの行動項目の夫々に対し、アイコン６０ａ〜６０ｇが設けられている。
【００４９】
アイコン６０ａは、「親からの声かけは？」に対して設けられており、親からの声かけを実行したか否かを選択させる選択肢「した」、「していない」を含む。
【００５０】
アイコン６０ｂは、「子からのサインは？」に対して設けられており、幼児が排泄に関するサインを出したか否かを選択させる選択肢「あり」、「なし」を含む。
【００５１】
アイコン６０ｃは、「トイレに行った？」に対して設けられており、幼児がトイレに行ったか否かを選択させる選択肢「行った」、「行かなかった」を含む。なお、アイコン６０ｃは、トイレで排泄（「おしっこ」または「うんち」）したか否かに関わらず、トイレに行ったか否かを選択させるための選択肢であり、トイレで「おしっこ」または「うんち」をした場合は、他のアイコン６０ｆ，６０ｇが選択される。
【００５２】
アイコン６０ｄは、「トイレでした？」に対して設けられており、幼児がトイレで排泄をしたか否かを選択させる選択肢「した」、「していない」を含む。
【００５３】
アイコン６０ｅは、「オムツにした？」に対して設けられており、オムツに排泄をしたか否か、既にしていたか、今、排泄したか、を選択させる選択肢「していない」、「していた」、「今、した」を含む。
【００５４】
アイコン６０ｆは、「おしっこ出た？」に対して設けられており、幼児がおしっこを便器にした、便器以外でした、またはおしっこをしなかった、のうち何れかを選択させる選択肢「便器に」、「便器以外」、「出なかった」を含む。便器以外とは、オムツの中にしていた場合や、お風呂場での排泄など便器以外の場所で出た場合に選択される。「便器に」できた場合は、つまり、成功を意味する。
【００５５】
アイコン６０ｇは、「うんち出た？」に対して設けられており、幼児がうんちを便器にした、便器以外でした、またはうんちをしなかった、のうち何れかを選択させる選択肢「便器に」、「便器以外」、「出なかった」を含む。
【００５６】
メモ欄６１は、操作者に、例えば、幼児や保護者の気持ちに関するコメントを入力させるための領域であり、アイコン６２は、操作者の心理状態を記録させるためのアイコンであり、操作者の心理状態が良いと操作者が判断した際にタップされる。
【００５７】
アイコン６３（第１アイコン）は、トイレトレーニングの行動項目毎の実行結果を示すアイコン６０ａ〜６０ｇが選択された後に、選択結果を登録するためのアイコンである。なお、アイコン６３には、「とうろく」との表示がされている。
【００５８】
アイコン６４（第２アイコン）は、トイレトレーニングで達成すべき複数の達成項目を含む達成項目画面３３を表示させるためのアイコンである。なお、アイコン６４には、「はじめて」との表示がされている。
【００５９】
達成項目画面３３は、図６に示すように、トイレトレーニングの８つの達成項目の夫々を示すアイコン８０ａ〜８０ｈと、所定の項目に対するアイコンを達成済みとするためのアイコン８１〜８５と、達成項目画面３３を閉じるためのアイコン８６と、を含む。本実施形態では、「はじめて」と表示されたアイコン６４をタップすると、達成項目画面３３が表示される。このため、操作者は、所望のタイミングでトイレトレーニングの達成項目を確認でき、トイレトレーニングの内容の理解を深めることができる。また、達成項目画面３３の面積（サイズ）は、登録画面３２の面積より小さく、登録画面３２に対し、達成項目画面３３は重ねて表示されるため、操作者の利便性、操作性が向上する。
【００６０】
アイコン８０ａは、「トイレに行けた」との表示を含み、幼児がトイレに行けたことが達成済みか否かを示すアイコンである。
【００６１】
アイコン８０ｂは、「うんちが出たことを伝える」との表示を含み、幼児が、うんちが出たことを伝えることが達成済みか否かを示すアイコンである。
【００６２】
アイコン８０ｃは、「トイレでおしっこできた」との表示を含み、幼児がトイレでおしっこできたことが達成済みか否かを示すアイコンである。
【００６３】
アイコン８０ｄは、「自分でトイレに行けた」との表示を含み、幼児が自分でトイレに行けたことが達成済みか否かを示すアイコンである。
【００６４】
アイコン８０ｅは、「おしっこ出たことを伝える」との表示を含み、幼児がおしっこ出たことを伝えることが達成済みか否かを示すアイコンである。
【００６５】
アイコン８０ｆは、「でる前に教えてくれた」との表示を含み、幼児が、排泄物がでる前に保護者に対して教えてくれたことが達成済みか否かを示すアイコンである。
【００６６】
アイコン８０ｇは、「トイレでうんちできた」との表示を含み、幼児がトイレでうんちをできたことが達成済みか否かを示すアイコンである。
【００６７】
アイコン８０ｈは、「昼間にオムツが汚れない」との表示を含み、幼児が昼間にオムツで排泄をしなかったことが達成済みか否かを示すアイコンである。
【００６８】
アイコン８１〜８５（第３アイコン）は、「できたらタップ」との表示を含み、対応するアイコンを達成済みとするためのアイコンである。
【００６９】
ここで、行動項目の実行結果を示すアイコン６０ａ〜６０ｇの選択肢のうち、３つの選択肢の内容は、８つの達成項目の何れかと同じである。具体的には、アイコン６０ｃの「行った」との選択肢の内容は、「トイレに行けた」ことを示すアイコン８０ａの内容と同じである。また、アイコン６０ｆの「便器に」の内容は、「トイレでおしっこできた」ことを示すアイコン８０ｃと同じであり、アイコン６０ｇの「便器に」の内容は、「トイレでうんちできた」ことを示すアイコン８０ｇと同じである。このため、詳細は後述するが、これらの３つの達成項目は、アイコン６０ｃ，６０ｆ，６０ｇが選択された場合に達成済みとされる。このため、アイコン８０ａ，８０ｃ，８０ｇに対しては、「できたらタップ」と表示されたアイコンは設けられていない。
【００７０】
アイコン８１は、「うんちが出たことを伝える」ことを示すアイコン８０ｂに対して設けられ、アイコン８０ｂを、達成済みの状態とするアイコンである。
【００７１】
アイコン８２は、「自分でトイレに行けた」ことを示すアイコン８０ｄに対して設けられ、アイコン８０ｄを、達成済みの状態とするアイコンである。
【００７２】
アイコン８３は、「おしっこ出たことを伝える」ことを示すアイコン８０ｅに対して設けられ、アイコン８０ｅを、達成済みの状態とするアイコンである。
【００７３】
アイコン８４は、「でる前に教えてくれた」ことを示すアイコン８０ｆに対して設けられ、アイコン８０ｆを、達成済みの状態とするアイコンである。
【００７４】
アイコン８５は、「昼間にオムツが汚れない」ことを示すアイコン８０ｈに対して設けられ、アイコン８０ｈを、達成済みの状態とするアイコンである。
【００７５】
このように、達成項目画面３３は、乳幼児が達成すべきトイレトレーニングの項目を分類して表示している。したがって、操作者は、達成項目画面３３の画面を確認することで、トイレトレーニングにどのような項目があるかを容易に把握することができる。また、詳細は後述するが、アイコン８０ａ〜８０ｈのそれぞれが達成済みの場合、達成済みであることを示す「メダル画像」が、達成済みの項目に対応するアイコンに重ねて表示される。このため、操作者は、達成済みの項目を客観的に把握できる。
【００７６】
＜＜行動項目登録処理＞＞
図７は、トイレトレーニングの行動項目を登録するための行動項目登録処理Ｓ１１の一例を示すフローチャートである。ここでは、操作者は、幼児の排泄後において端末１０を操作し、登録画面３２を画面２３に表示させていることとする。
【００７７】
まず、操作者は、トイレトレーニングに関する行動項目の実行結果を選択すべく、アイコン６０ａ〜６０ｇをタップすると、制御部２１は、アイコン６０ａ〜６０ｇの選択結果を示す情報を記憶部２０に格納する（Ｓ４０）。そして、操作者が、「とうろく」と表示されたアイコン６３をタップ（第１操作）すると、制御部２１は、記憶部２０にアクセスし、アイコン６０ａ〜６０ｇの選択結果が、８つの達成項目の何れかと同じであるか否かを判定する（Ｓ４１）。具体的には、制御部２１は、達成項目の何れかと同じ内容のアイコン６０ｃの「行った」または、アイコン６０ｆ，６０ｇの「便器に」の選択肢（以下、「選択肢Ａ」とする。）が選択されたか否かを判定する。
【００７８】
そして、「とうろく」と表示されたアイコン６３がタップされた際に、選択結果が８つの達成項目の何れかと同じ場合（Ｓ４１：Ｙｅｓ）、すなわち、「選択肢Ａ（第１選択肢）」が選択された場合、受付処理部１０３は、「選択肢Ａ」が選択されたことを示す情報（第１情報）を受け付ける（Ｓ４２：受付処理）。達成項目画面表示処理部１０１は、選択結果に対する達成項目を達成済みの状態に変化させ、達成項目画面３３を画面２３に表示する（Ｓ４３：第１表示処理）。
【００７９】
例えば、アイコン６０ｆの「便器に」が選択結果として選択されている状態で「とうろく」のアイコン６３がタップされると、図８に示すように、「トイレでおしっこできた」のアイコン８０ｃに、「メダル画像」が重ねて表示される。ここで、本実施形態の「メダル画像」は、達成項目が達成された際の幼児の「月齢情報」と、「日付情報」とを含むこととする。このため、例えば、図８では、アイコン８０ｃに重ねて表示される「メダル画像」に、幼児の「月齢情報」である「３７カ月」と、「日付情報」である「４月５日」と、が合わせて表示される。
【００８０】
なお、ここでは、アイコン６０ｆの「便器に」が選択された場合を説明したが、アイコン６０ｃ，６０ｇが選択された場合も同様である。つまり、「行った」のアイコン６０ｃが選択され、「とうろく」のアイコン６３がタップされると、「トイレに行けた」のアイコン８０ａに「メダル画像」が重ねて表示される。また、「便器に」のアイコン６０ｇが選択され、「とうろく」のアイコン６３がタップされると、「トイレでうんちできた」のアイコン８０ｇに「メダル画像」が重ねて表示される。また、アイコン６０ｃ，６０ｆ，６０ｇの３つが選択された状態で、「とうろく」のアイコン６３がタップされると、３つのアイコン８０ａ，８０ｃ，８０ｇに「メダル画像」が重ねて表示される。
【００８１】
つぎに、メッセージ表示処理部１０２は、アイコン８０ａ〜８０ｈの状態に基づいて、トイレトレーニングの８つの達成項目の全てが達成されたか否かを判定する（Ｓ４４）。全ての達成項目が達成されていない場合（Ｓ４４：Ｎｏ）、制御部２１は行動項目登録処理Ｓ１１を終了する。一方、全ての達成項目が達成された場合（Ｓ４４：Ｙｅｓ）、メッセージ表示処理部１０２は、乳幼児を褒めるメッセージ（後述）を画面２３に表示する（Ｓ４５）。
【００８２】
また、処理Ｓ４１において、制御部２１は、選択結果が８つの達成項目の何れとも異なる場合（Ｓ４１：Ｎｏ）、制御部２１は、「選択肢Ｂ」（後述）が選択されたことを示す情報を受け付ける（Ｓ４６）。ここで、「選択肢Ｂ」とは、アイコン６０ａ〜６０ｇの選択肢のうち、８つの達成項目の何れにも該当しない選択肢（非該当状態の選択肢）である。そして、メッセージ表示処理部１０２は、「登録が完了しました」等の選択結果の登録が完了されたメッセージ（不図示）を画面２３に表示する（Ｓ４７）。なお、ここでは、例えば、過去（３月２日）において、「行った」のアイコン６０ｃが選択された状態で「とうろく」のアイコン６３がタップされたことから、「トイレに行けた」のアイコン８０ａが達成済みとなっている。
【００８３】
＜＜達成項目登録処理＞＞
図９は、トイレトレーニングの達成項目を登録するための達成項目登録処理Ｓ１２の一例を示すフローチャートである。ここでは、操作者は、幼児の排泄後において端末１０を操作し、登録画面３２を画面２３に表示させていることとする。また、図９を説明する際の日付は、例えば「４月１３日」であることとする。
【００８４】
まず、「はじめて」と表示されたアイコン６４がタップ（第１操作）されると、受付処理部１０３は、「はじめて」のアイコン６４がタップされたことを示す情報（第２情報）を受け付ける（Ｓ６０：受付処理）。そして、達成項目画面表示処理部１０１は、トイレトレーニングの達成項目を含む達成項目画面３３を、画面２３に表示する（Ｓ６１：第１表示処理）。
【００８５】
ここで、操作者が「できたらタップ」のアイコン８１〜８５のうち、幼児が達成した達成項目に対するアイコンをタップすると、達成項目画面表示処理部１０１は、タップ動作に応じたタップ情報を受け付ける（Ｓ６２）。そして、達成項目画面表示処理部１０１は、タップ情報に基づいて、達成項目を達成済みに更新して表示する（Ｓ６３：第１表示処理）。
【００８６】
例えば、幼児が、うんちが出たことを伝えることができた場合には、操作者は、達成項目画面３３において、「できたらタップ」と表示されたアイコン８１をタップする。この結果、図１０に示すように、達成項目画面表示処理部１０１は、「うんちが出たことを伝える」ことを示すアイコン８０ｂ及びアイコン８１に「メダル画像」を重ね合せ、達成項目画面３３を更新して表示する。このため、操作者は、トイレトレーニングの進捗を明確に把握することができるため、操作者は、トイレトレーニングの成功をより実感できる。また、「メダル画像」には、日付情報と月齢情報とが表示されているため、操作者は、トイレトレーニングの進捗を、より客観的に把握することができる。さらに、乳幼児も、表示された「メダル画像」を視認することができるため、トイレトレーニングの成功をより実感することができる。
【００８７】
そして、メッセージ表示処理部１０２は、アイコン８０ａ〜８０ｈの状態に基づいて、トイレトレーニングの８つの達成項目の全てが達成されたか否かを判定する（Ｓ６４）。全ての達成項目が達成されていない場合（Ｓ６４：Ｎｏ）、制御部２１は達成項目登録処理Ｓ１２を終了する。
【００８８】
一方、全ての達成項目が達成された場合（Ｓ６４：Ｙｅｓ）、メッセージ表示処理部１０２は、図１１に示すように、乳幼児を褒めるための、褒めメッセージ２００を画面２３に表示する（Ｓ６５）。褒めメッセージ２００は、「おめでとう！たっせいできたね！」とのメッセージである。乳幼児は、母親等の操作者（保護者）とともにメッセージを確認することができるため、成功体験をともに喜ぶことができ、より保護者との一体感を感じることができる。また、乳幼児は、トイレトレーニングの成功をより実感することもできる。
【００８９】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００９０】
本実施形態では、アイコン８０ａ，８０ｃ，８０ｇに対しては、「できたらタップ」と表示されたアイコンは設けられていないが、アイコン８０ａ，８０ｃ，８０ｇに対しも「できたらタップ」と表示されたアイコンを設けても良い。このような場合、全ての達成項目を、達成項目画面３３で達成済みとすることができる。
【００９１】
また、本実施形態では、８つの達成項目の全てが達成済みとなった際に褒めメッセージ２００が表示されたが、これに限られない。例えば、メッセージ表示処理部１０２は、何れかの達成項目が達成される毎に、乳幼児を褒めるメッセージを表示しても良い。
【００９２】
また、本実施形態では乳幼児を対象としたが、それに限られるものではない、例えば、高齢の非介護者が自立排泄に向けて達成すべき項目の進捗を把握できるものを目的としていてもよい。
【００９３】
また、例えばメッセージ表示処理部１０２は、「はじめて」との表示されたアイコン６４が最初にタップされると、「はじめてできた項目があればタップして、すべてのメダルゲットを目指そう！」等のメッセージを、画面２３に表示させても良い。このようなメッセージ（トイレトレーニングのやる気を高めるメッセージ）が表示されることにより、乳幼児及び保護者のやる気を高めることができる。
【００９４】
また、実行可能なプログラムが記憶された非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ  ｗｉｔｈ  ａｎ  ｅｘｅｃｕｔａｂｌｅ  ｐｒｏｇｒａｍ  ｔｈｅｒｅｏｎ）を用いて、コンピュータにプログラムを供給することも可能である。なお、非一時的なコンピュータの可読媒体の例は、磁気記録媒体（例えばフレキシブルディスク、磁気テープ、ハードディスクドライブ）、ＣＤ−ＲＯＭ（Ｒｅａｄ  Ｏｎｌｙ  Ｍｅｍｏｒｙ）等がある。
【符号の説明】
【００９５】
１０  端末
２０  記憶部
２１  制御部
２２  入力部
２３  画面
２４  通信部
２５  カメラ
３０  トップ画面
３１  日記画面
３２  登録画面
３３  達成項目画面
４０〜４４，５０〜５２，６０，６２〜６４，８０，８１，８５  アイコン
６１  メモ欄
１００  登録画面表示処理部
１０１  達成項目画面表示処理部
１０２  メッセージ表示処理部
１０３  受付処理部
【図１】
2019191503.tif 000003
【図２】
2019191503.tif 000004
【図３】
2019191503.tif 000005
【図４】
2019191503.tif 000006
【図５】
2019191503.tif 000007
【図６】
2019191503.tif 000008
【図７】
2019191503.tif 000009
【図８】
2019191503.tif 000010
【図９】
2019191503.tif 000011
【図１０】
2019191503.tif 000012
【図１１】
2019191503.tif 000013